(57)【特許請求の範囲】
【請求項１】
商品を販売処理する商品販売処理装置であって、
上面に硬貨を置くための載置面が形成されるとともに同載置面の一部が硬貨を処理する硬貨処理装置に硬貨を投入するための投入口に向けて突出したコイントレイ、を備え、
前記コイントレイの前記投入口に向けて突出した部分は、その先端に向けて下方に傾斜していることを特徴とする商品販売処理装置。
【請求項２】
前記コイントレイの載置面の周縁には、少なくとも前記投入口に向けて突出した部分の先端を除き、前記載置面に置かれた硬貨の移動を前記載置面上に規制するガイド部が設けられていることを特徴とする請求項１に記載の商品販売処理装置。
【請求項３】
前記ガイド部は、前記コイントレイの周縁の一部に設けられたリブおよび当該商品販売処理装置の筐体面によって構成されることを特徴とする請求項２に記載の商品販売処理装置。
【請求項４】
前記コイントレイは、当該商品販売処理装置の筐体に対して着脱自在に設けられていることを特徴とする請求項１乃至３のうちいずれか１に記載の商品販売処理装置。
【請求項５】
当該商品販売処理装置の筐体には、底面が平面の窪み部が設けられ、
前記コイントレイは、前記窪み部に着脱されることを特徴とする請求項４に記載の商品販売処理装置。
【発明の詳細な説明】
【技術分野】
【０００１】
本発明の実施形態は、ＰＯＳ（Point Of Sales）端末やＥＣＲ（Electric Cash Register）等の商品販売処理装置に関する。
【背景技術】
【０００２】
従来、各種店舗において販売される商品の代金の精算にＰＯＳ端末やＥＣＲ等の商品販売処理装置が使用されている。
【０００３】
近年、硬貨投入口に投入された硬貨や紙幣投入口に投入された紙幣を計数して客からの預り金額を算出するとともに、この預り金額と代金との差額を払い出す自動釣銭機を導入する店舗が増加している。この自動釣銭機を使用する場合、客から受け取った硬貨を商品販売処理装置に設けられたコイントレイ上に置き、そこで店員が目視にて硬貨の額等を確認した後、これら硬貨を手で回収して自動釣銭機の投入口に投入するとの運用が一般的である。
【先行技術文献】
【特許文献】
【０００４】
【特許文献１】特開２０００−１１３３１９号公報
【特許文献２】特開２００８−６５５２０号公報
【特許文献３】実開平３−１１６４８０号公報
【発明の概要】
【発明が解決しようとする課題】
【０００５】
上記コイントレイに置いた硬貨を手で回収すると、それら硬貨を自動釣銭機の硬貨投入口に入れるまでに時間が掛かってしまう。また、回収の途中で硬貨を落としてしまうこともあり、商品の販売処理が遅延しかねない。
【０００６】
このような事情から、商品販売処理装置のコイントレイに置かれた硬貨を迅速に自動釣銭機等の硬貨投入口に投入するための手段を講じる必要があった。
【課題を解決するための手段】
【０００７】
上記のような課題を解決すべく、一実施形態における商品販売処理装置は、上面に硬貨を置くための載置面が形成されるとともに同載置面の一部が硬貨を処理する硬貨処理装置に硬貨を投入するための投入口に向けて突出したコイントレイ、を備え、前記コイントレイの前記投入口に向けて突出した部分は、その先端に向けて下方に傾斜していることを特徴としている。
【図面の簡単な説明】
【０００８】
【図１】一実施形態におけるＰＯＳ端末および自動釣銭機を示す平面図。
【図２】同実施形態におけるＰＯＳ端末および自動釣銭機の一部を示す斜視図。
【図３】同実施形態におけるＰＯＳ端末および自動釣銭機の一部を示す斜視図。
【図４】同実施形態におけるコイントレイの作用を説明するための図。
【図５】変形例におけるコイントレイの三面図。
【発明を実施するための形態】
【０００９】
以下、一実施形態について図面を参照しながら説明する。  
なお、本実施形態においては、商品販売処理装置として機能するＰＯＳ端末と、このＰＯＳ端末に接続された自動釣銭機とを備えるＰＯＳシステムを例示する。
【００１０】
図１は、本実施形態におけるＰＯＳ端末１および自動釣銭機２を示す平面図である。  
自動釣銭機２は、例えば店舗のレジカウンタ上に載置され、ＰＯＳ端末１は、自動釣銭機２の上面に載置される。ＰＯＳ端末１および自動釣銭機２は、有線または無線にて通信接続されている。
【００１１】
ＰＯＳ端末１は、店員側ディスプレイ１０、客側ディスプレイ１１、キーボード１２、カードリーダ１３、レシートプリンタ１４、およびコイントレイ１５等を備えている。  
店員側ディスプレイ１０は、例えばＬＣＤ（Liquid Crystal Display）と、このＬＣＤの表示面上に設けられたタッチパネルとで構成され、商品の販売処理に必要な各種情報を表示するとともに、画面への指やタッチペンによる接触操作を検知する。
【００１２】
客側ディスプレイ１１は、例えばＶＦＤ（Vacuum Fluorescent Display）で構成され、店員側ディスプレイ１０への接触操作にて指定された商品、あるいは図示せぬバーコードスキャナによりバーコードがスキャニングされた商品の名称および価格や、複数の商品の価格の合計金額、釣銭額等を表示する。
【００１３】
店員側ディスプレイ１０および客側ディスプレイ１１は、スィベル機構によりその表示方向を変更可能である。図１においては、店員側ディスプレイ１０の表示面が店員の立ち位置側（図１下方）に向けられ、客側ディスプレイ１１の表示面が上記レジカウンタで構成されるチェックアウトレーンの入口側（図１右方）に向けられた状態を示している。以下、上記店員の立ち位置側をＰＯＳ端末１および自動釣銭機２の正面と称し、その反対側をＰＯＳ端末１および自動釣銭機２の背面と称す。
【００１４】
キーボード１２は、店員側ディスプレイ１０よりも正面側に設けられ、商品登録の開始を宣言するためのＰＬＵ（Price Look Up）キー、小計金額の算出を指示するための小計キー、現金での決済を宣言するための現計キー、数値入力用のテンキー等の各種操作キーにて構成されている。
【００１５】
カードリーダ１３は、ＰＯＳ端末１の正面から見てキーボード１２の右側に設けられ、クレジットカードや店舗のポイントカードがスライドされると、そのカードの磁気ストライプに記憶されたカード情報を読み取る磁気タイプのカードリーダである。
【００１６】
レシートプリンタ１４は、ＰＯＳ端末１の正面から見て店員側ディスプレイ１０の左側に設けられ、販売された商品に関する情報やそれら商品の価格の合計額、客からの預り金額、および釣銭額等を感熱紙に印刷したレシートを作成し、このレシートをレシート発行口１４０からＰＯＳ端末１の正面側に向けて排出する。
【００１７】
自動釣銭機２の正面側には、硬貨投入口２０、傾斜部２１、紙幣入排出口２２、紙幣ガイド２３、硬貨払出口２４、硬貨受皿２５、および操作表示ユニット２６等が設けられている。
【００１８】
硬貨投入口２０は、硬貨を自動釣銭機２の内部に取り込むものであり、複数枚の硬貨を一括投入可能な大きさで上方に向けて開口している。傾斜部２１は、硬貨投入口２０の周囲を擂鉢状に傾斜させたものである。この傾斜部２１に落下した硬貨は、その表面を滑落して硬貨投入口２０へと案内される。
【００１９】
紙幣入排出口２２は、紙幣を自動釣銭機２に入排出するものであり、各種紙幣の長手方向幅に対応した幅で自動釣銭機２の正面側に向けて開口している。紙幣ガイド２３は、紙幣入排出口２２の左右および下方を覆うコの字型に形成されており、このガイド２３により、自動釣銭機２に投入される紙幣が紙幣入排出口２２に案内されるとともに、紙幣入排出口２２から排出される紙幣の落下が防がれる。
【００２０】
硬貨払出口２４からは、自動釣銭機２の内部から硬貨が払い出される。硬貨払出口２４から払い出された硬貨は、硬貨受皿２５に貯留される。
【００２１】
操作表示ユニット２６は、複数の操作ボタンやＬＣＤ等のディスプレイにて構成され、自動釣銭機２への入出金額の表示や、各種指示の入力に使用される。
【００２２】
次に、図１〜図３を用いてコイントレイ１５について説明する。  
図２，図３は、ＰＯＳ端末１および自動釣銭機２の一部を示す斜視図である。  
図２に示すように、ＰＯＳ端末１の筐体面には、キーボード１２の左方および下方に亘るＬ字型の窪み部１６が設けられている。この窪み部１６の底面は平面であり、例えばステンレス製の平板にて形成される。
【００２３】
コイントレイ１５は、この窪み部１６に対応するＬ字型にクランクした形状であり、例えば両面に粘着層が形成されたテープを用いて図３に示すように窪み部１６に装着される。
【００２４】
コイントレイ１５の上面には、硬貨等を載置するための平面１５０が形成されている。この平面１５０は、例えばステンレス製の平板をコイントレイ１５の基材に貼着して形成したものであり、コイントレイ１５を傷等から保護するとともに、載置された硬貨を滑らせる滑面として機能する。
【００２５】
コイントレイ１５の前縁１５１は、自動釣銭機２の硬貨投入口２０に向けて緩やかに突出している。以下の説明において、前縁１５１の突出の頂点をＰと定義する。前縁１５１の形状は、例えば図１に示すようにＰＯＳ端末１と自動釣銭機２の後端が一致するようにＰＯＳ端末１を自動釣銭機２上に載置したときに、頂点Ｐが硬貨投入口２０の若干手前に位置するように設計されている。
【００２６】
さらに、コイントレイ１５には、平面１５０に置かれた硬貨のＰＯＳ端末１前方に向けた移動を規制するリブ１５２が設けられている。このリブ１５２は、前縁１５１から左縁および右縁に亘って設けられている。但し、リブ１５２は、頂点Ｐ付近において少なくとも自動釣銭機２で取り扱われる各硬貨が平面１５０に倒れた状態で通過できる大きさに開口している。なお、平面１５０に置かれた硬貨のＰＯＳ端末１後方に向けた移動は、ＰＯＳ端末１の筐体面によって規制される。このように、リブ１５２およびＰＯＳ端末１の筐体面によって、平面１５０に置かれた硬貨の移動を当該平面１５０上に規制するガイド部が構成される。
【００２７】
図３に示すように、窪み部１６に対してコイントレイ１５を装着した状態においては、前縁１５１の頂点Ｐ付近と、自動釣銭機２の筐体面との間に２５ｍｍ程度の隙間が形成される。この隙間により、店員は、コイントレイ１５と硬貨投入口２０との間に手を添え易くなる。なお、本実施形態においては上記隙間を２５ｍｍとするが、この隙間は、ＰＯＳ端末１および自動釣銭機２の各部の形状等を考慮して店員が手を添え易い最適な幅に設定すればよい。
【００２８】
次に、ＰＯＳ端末１および自動釣銭機２を用いた商品販売処理の流れ、および、コイントレイ１５の作用につき、図４を用いて説明する。  
商品を販売処理するにあたり、先ず店員は、キーボード１２のＰＬＵキーを操作して商品登録の開始を宣言し、客が購入しようとする商品のＰＬＵコードをＰＯＳ端末１に入力する。ＰＬＵコードは、例えば店員側ディスプレイ１０への接触操作や上記バーコードスキャナによる商品に付されたバーコードのスキャニングにより入力される。ＰＯＳ端末１は、ＰＬＵコードが入力される度にそのＰＬＵコードで特定される商品の名称や価格を、例えば自身が備えるメモリに記憶されたＰＬＵファイルから特定し、店員側ディスプレイ１０および客側ディスプレイ１１に表示する。
【００２９】
やがて客が購入しようとする全ての商品のＰＬＵコードを入力し終えると、店員は、キーボード１２に設けられた小計キーを操作する。このとき、ＰＯＳ端末１は、ＰＬＵコードが入力された各商品の価格の合計金額を算出して店員側ディスプレイ１０および客側ディスプレイ１１に表示し、代金の支払いを待つ。
【００３０】
客が硬貨や紙幣にて代金を支払うと、店員は、客から受け取った硬貨を硬貨投入口２０に投入し、客から受け取った紙幣を紙幣入排出口２２に投入する。このとき自動釣銭機２は、硬貨投入口２０に投入された硬貨や紙幣入排出口２２に投入された紙幣を計数して預り金額を算出し、ＰＯＳ端末１に通知する。
【００３１】
自動釣銭機２から預り金額の通知を受けると、ＰＯＳ端末１は、その預り金額から各商品の価格の合計金額を差し引いて釣銭額を算出し、自動釣銭機２に通知するとともに、レシートプリンタ１４を駆動して当該取引のレシートをレシート発行口１４０から発行させる。ＰＯＳ端末１から釣銭額の通知を受けたとき、自動釣銭機２は、当該釣銭額に応じた額の硬貨や紙幣を硬貨払出口２４および紙幣入排出口２２から排出する。
【００３２】
その後、店員は、レシート発行口１４０から発行されたレシート、および、硬貨払出口２４から排出されて硬貨受皿２５に貯留された硬貨や紙幣入排出口２２から排出された紙幣を手に取り、客に渡す。以上で、１人の客に対する商品販売処理が完了する。
【００３３】
上記のような流れの商品販売処理において、通常、店員は客から受け取った硬貨や紙幣を目視で簡単に計数したり、使用できない硬貨や紙幣以外の紙類が混入していないかを確認したうえで、自動釣銭機２に投入する。このような作業にコイントレイ１５が利用される。
【００３４】
すなわち店員は、客から受け取った硬貨を図４に示すようにコイントレイ１５上に置き、使用できない硬貨等が混入していないかを確認して、その額を計数したうえで受け取った金額を客に告げる。その後、コイントレイ１５上に置いた硬貨を図４中に矢印で示すようにＰＯＳ端末１の正面側に向けて手で滑らせ、リブ１５２の開口部を通過させて硬貨投入口２０に落下させる。
【００３５】
このように、コイントレイ１５上に置かれた硬貨は、コイントレイ１５上を滑らせて下方に落下させるだけで自動釣銭機２の硬貨投入口２０に投入できる。このような構成であれば、コイントレイ１５上に置かれた硬貨を一枚一枚手に取って硬貨投入口２０に投入する必要がなくなるので、自動釣銭機２への硬貨の投入が極めて容易になる。
【００３６】
また、頂点Ｐ付近を除き、コイントレイ１５の周縁がリブ１５２およびＰＯＳ端末１の筐体によって囲われているので、硬貨が硬貨投入口２０以外の場所に落下する虞もない。さらに、このようにＰＯＳ端末１の筐体面の一部に硬貨の移動をコイントレイ１５上に規制するガイドの役割を担わせたことで、リブ１５２をコイントレイ１５の全周に亘って設ける必要がなくなり、コイントレイ１５の製造工程が簡略化される等の好適な効果を奏する。
【００３７】
また、コイントレイ１５は、ＰＯＳ端末１の筐体に設けられた窪み部１６に対して着脱自在であるため、自動釣銭機２を用いない場合など、コイントレイ１５が不要である場合にはコイントレイ１５を筐体から取り外してＰＯＳ端末１を使用することもできる。さらに、窪み部１６の底面はコイントレイ１５の上面と同じく平面になっているため、コイントレイ１５を取り外した場合であってもこの底面を硬貨等の置場所として使用することができる。
【００３８】
また、コイントレイ１５の前縁１５１の頂点Ｐ付近と、自動釣銭機２の筐体面との間には、店員が手を添えられる程度の隙間が確保されている。このような構成であれば、コイントレイ１５に載置された硬貨を回収する必要が生じた場合であっても、上記隙間に手を添えてこの手の中に頂点Ｐ付近から硬貨を落下させることで、コイントレイ１５上の硬貨を容易に手に取ることができる。
【００３９】
なお、上記実施形態にて開示した構成は、種々の態様にて変形実施可能である。
【００４０】
例えば、コイントレイ１５の形状は上記実施形態にて開示したものに限られず、硬貨投入口２０の形状や位置に応じて適宜変形すればよい。すなわち、図１〜図４に示した位置関係に比べ、硬貨投入口２０とＰＯＳ端末１の前端との距離が長い場合にはコイントレイ１５の前縁１５１をより長く突出させ、短い場合には前縁１５１をより短く突出させればよく、硬貨投入口２０がＰＯＳ端末１の正面から見てより左方に位置する場合には突出部分の頂点Ｐを左方にシフトし、右方に位置する場合には突出部分の頂点Ｐを右方にシフトすればよい。
【００４１】
また、上記実施形態ではコイントレイ１５を両面に粘着層が形成されたテープによってＰＯＳ端末１の筐体に装着するとしたが、他の手段によりコイントレイ１５をＰＯＳ端末１の筐体に装着してもよい。例えば螺子によりコイントレイ１５をＰＯＳ端末１の筐体に取り付けてもよいし、コイントレイ１５およびＰＯＳ端末１のいずれか一方に所定形状の突起を設け、他方にこの突起に嵌め合う溝を設け、これら突起と溝とを嵌め合わせることで、コイントレイ１５がＰＯＳ端末１の筐体に取り付けられるようにしてもよい。
【００４２】
また、コイントレイ１５の前縁１５１を硬貨投入口２０に向けて下方に傾斜させてもよい。このように前縁１５１を傾斜させたコイントレイ１５の平面図、正面図、および右側面図からなる三面図を図５に示している。図中の右方に示した右側面図および下方に示した正面図から分かるように、当該変形例におけるコイントレイ１５の前縁１５１は、頂点Ｐ付近において、その先端に向け下方に傾斜している。この傾斜を除く形状は、上記実施形態にて説明したものと同様である。このように前縁１５１を傾斜させれば、頂点Ｐ付近に向けて移動する硬貨が当該傾斜に沿って滑落して硬貨投入口２０に導かれるので、コイントレイ１５上に置かれた硬貨を硬貨投入口２０により入れ易くなる。
【００４３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
本願の出願当初の特許請求の範囲に記載された発明を以下に付記する。
［１］商品を販売処理する商品販売処理装置であって、上面に硬貨を置くための載置面が形成されるとともに同載置面の一部が硬貨を処理する硬貨処理装置に硬貨を投入するための投入口に向けて突出したコイントレイ、を備えていることを特徴とする商品販売処理装置。
［２］前記コイントレイの載置面の周縁には、少なくとも前記投入口に向けて突出した部分の先端を除き、前記載置面に置かれた硬貨の移動を前記載置面上に規制するガイド部が設けられていることを特徴とする上記［１］に記載の商品販売処理装置。
［３］前記ガイド部は、前記コイントレイの周縁の一部に設けられたリブおよび当該商品販売処理装置の筐体面によって構成されることを特徴とする上記［２］に記載の商品販売処理装置。
［４］前記コイントレイは、当該商品販売処理装置の筐体に対して着脱自在に設けられていることを特徴とする上記［１］乃至［３］のうちいずれか１に記載の商品販売処理装置。
［５］当該商品販売処理装置の筐体には、底面が平面の窪み部が設けられ、前記コイントレイは、前記窪み部に着脱されることを特徴とする上記［４］に記載の商品販売処理装置。
［６］前記コイントレイの前記投入口に向けて突出した部分は、その先端に向けて下方に傾斜していることを特徴とする上記［１］乃至［５］のうちいずれか１に記載の商品販売処理装置。
【符号の説明】
【００４４】
１…ＰＯＳ端末、２…自動釣銭機、１０…店員側ディスプレイ、１２…キーボード、１３…カードリーダ、１４…レシートプリンタ、１４０…レシート発行口、１５…コイントレイ、２０…硬貨投入口、２１…傾斜部、１５０…平面、１５１…前縁、１５２…リブ
【図１】
0005417361.tif 000002
【図２】
0005417361.tif 000003
【図３】
0005417361.tif 000004
【図４】
0005417361.tif 000005
【図５】
0005417361.tif 000006